(57)【要約】【課題】筐体の開封検知のための機構が把握されにくい光学的情報読取装置を提供する。【解決手段】筐体１１内に、情報コードＢに対して光を照射するための読取用光源２１とは異なる開封検知用光源２２が設けられており、この開封検知用光源２２は、受光センサ２８の受光面Ｓに対して検知用照射光Ｌｄを照射する。また、表側ケース１２には、受光センサ２８の撮像外領域Ｓｏの一部と開封検知用光源２２との間を通過するように突出する第１リブ１２ａが設けられている。また、裏側ケース１３には、受光センサ２８の撮像外領域Ｓｏの他部と開封検知用光源２２との間を通過するように突出する第２リブ１３ａが設けられている。そして、制御回路４０は、開封検知用光源２２からの検知用照射光Ｌｄに応じて受光センサ２８から出力される受光信号の信号パターンＰと開封検知用パターンＰｄとの比較に基づいて筐体１１の開封を検知する。【選択図】図１
2010066956.tif 000002
【特許請求の範囲】
【請求項１】
情報コードに対して光を照射するための第１の発光手段と、
前記第１の発光手段により照射されて前記情報コードにより反射された反射光を受光領域にて受光しこの反射光に応じた受光信号を出力する受光手段と、
前記受光手段からの前記受光信号に基づいて前記情報コードの読取処理を行う読取手段と、
前記読取処理により取得した情報を記憶する記憶手段と、
第１ケースおよび第２ケースが組み付けられて構成される筐体であって少なくとも前記記憶手段および前記受光手段を収容する筐体と、
を備える光学的情報読取装置であって、
前記筐体内に配置されて前記受光領域に対して検知用照射光を照射する第２の発光手段と、
前記受光領域のうち前記反射光が到達する撮像領域とは異なる撮像外領域の一部と前記第２の発光手段との間を通過するように前記第１ケースから突出する第１の突出部と、
前記撮像外領域の他部と前記第２の発光手段との間を通過するように前記第２ケースから突出する第２の突出部と、を有し、
前記読取手段は、前記第２の発光手段からの前記検知用照射光に応じて前記受光手段から出力される前記受光信号のパターンと所定の信号パターンとの比較に基づいて前記筐体の開封を検知することを特徴とする光学的情報読取装置。
【請求項２】
前記所定の信号パターンは、前記第２の発光手段からの前記検知用照射光に応じて前記受光手段から出力される前記受光信号のパターンと前記所定の信号パターンとの比較に基づいて前記筐体の開封が検知されない場合には、この比較時の前記受光信号のパターンに等しくなるように更新されることを特徴とする請求項１に記載の光学的情報読取装置。
【請求項３】
前記読取手段は、当該読取手段への電力供給の開始時または遮断時に、前記筐体の開封を検知するための前記比較を行うことを特徴とする請求項１または２に記載の光学的情報読取装置。
【請求項４】
前記第２の発光手段は、前記第１の発光手段が配置される基板の受光手段側に配置されることを特徴とする請求項１〜３のいずれか一項に記載の光学的情報読取装置。
【発明の詳細な説明】
【技術分野】
【０００１】
本発明は、筐体の不正開封を検知し得る機能を有する光学的情報読取装置に関するものである。
【背景技術】
【０００２】
従来より、筐体の不正開封を検知し得る機能を有する光学的情報読取装置に関する技術として、下記特許文献１に示す端末装置が知られている。この端末装置では、制御基板が固定される筐体上ケースと筐体下ケースとにより筐体が構成されている。制御基板の筐体下ケース側にはスイッチが設けられており、筐体下ケースの底壁には所定の配線パターンが設けられたプラスチックシートが貼り付けられている。そして、筐体上ケースと筐体下ケースとを組み付けると、制御基板のスイッチの端子と筐体下ケースの底壁の配線とが接続されて閉回路が構成される。
【０００３】
そして、不正開封のために筐体上ケースと筐体下ケースとが分離されると、スイッチの端子と配線との接続が断たれて上記閉回路が切断されるので、この閉回路の切断状態を検知することにより、不正開封を検知している。
【０００４】
また、下記特許文献２の光学的読取装置では、照明用赤色発光ダイオードから照射されて読取口の周辺領域にて反射された反射光（以下、間接反射光ともいう）の輝度に基づいて、照明用赤色発光ダイオードの劣化の程度を測定している。この光学的読取装置は、筐体の不正開封を検知し得る機構を有していないが、筐体が開封されない場合の間接反射光と筐体が開封される場合の間接反射光との輝度の差を利用することにより、筐体の不正開封を検知することが考えられる。
【特許文献１】特開２００１−２４２９５１号公報
【特許文献２】特開平１０−３３４１７８号公報
【発明の開示】
【発明が解決しようとする課題】
【０００５】
しかしながら、上記特許文献１に記載の構成では、筐体が一度開封されてしまうと、その筐体内部を詳細に調査することで筐体の不正開封を検知するための開封検知機構が把握されてしまう。このため、次にその開封検知機構を有する装置の筐体を不正開封する場合には、当該開封検知機構を作動させない対策がとられてしまうという問題がある。
【０００６】
また、上記特許文献２に記載の構成を利用した筐体の不正開封検知機能では、筐体を開封するだけでは開封検知機構が把握されないものの、上述した間接反射光は筐体の内面で反射する間接光であることから輝度が弱く、読取口から入射する外乱光の影響を受けやすいため、不正開封の誤検知の可能性が大きくなってしまう。
【０００７】
本発明は、上述した課題を解決するためになされたものであり、その目的とするところは、筐体の開封検知のための機構が把握されにくい光学的情報読取装置を提供することにある。
【課題を解決するための手段】
【０００８】
上記目的を達成するため、特許請求の範囲に記載の請求項１の光学的情報読取装置では、情報コード（Ｂ）に対して光を照射するための第１の発光手段（２１）と、前記第１の発光手段により照射されて前記情報コードにより反射された反射光（Ｌｒ）を受光領域（Ｓ）にて受光しこの反射光に応じた受光信号を出力する受光手段（２８）と、前記受光手段からの前記受光信号に基づいて前記情報コードの読取処理を行う読取手段（４０）と、前記読取処理により取得した情報を記憶する記憶手段（３５）と、第１ケース（１２）および第２ケース（１３）が組み付けられて構成される筐体（１１）であって少なくとも前記記憶手段および前記受光手段を収容する筐体と、を備える光学的情報読取装置（１０）であって、前記筐体内に配置されて前記受光領域に対して検知用照射光（Ｌｄ）を照射する第２の発光手段（２２）と、前記受光領域のうち前記反射光が到達する撮像領域（Ｓｉ）とは異なる撮像外領域（Ｓｏ）の一部と前記第２の発光手段との間を通過するように前記第１ケースから突出する第１の突出部（１２ａ）と、前記撮像外領域の他部と前記第２の発光手段との間を通過するように前記第２ケースから突出する第２の突出部（１３ａ）と、を有し、前記読取手段は、前記第２の発光手段からの前記検知用照射光に応じて前記受光手段から出力される前記受光信号のパターン（Ｐ）と所定の信号パターン（Ｐｄ）との比較に基づいて前記筐体の開封を検知することを技術的特徴とする。
【発明の効果】
【０００９】
請求項１の発明では、第１ケースおよび第２ケースが組み付けられて構成される筐体内に、情報コードに対して光を照射するための第１の発光手段とは異なる第２の発光手段が設けられており、この第２の発光手段は、受光手段の受光領域に対して検知用照射光を照射する。また、第１ケースには、受光手段の撮像外領域の一部と第２の発光手段との間を通過するように突出する第１の突出部が設けられている。また、第２ケースには、受光手段の撮像外領域の他部と第２の発光手段との間を通過するように突出する第２の突出部が設けられている。そして、読取手段は、第２の発光手段からの検知用照射光に応じて受光手段から出力される受光信号のパターンと所定の信号パターンとの比較に基づいて筐体の開封を検知する。
【００１０】
筐体が開封されていない場合には、第１の突出部および第２の突出部は、第２の発光手段と受光手段の撮像外領域との間にてそれぞれ異なる所定の位置に配置されている。このため、第２の発光手段からの検知用照射光に応じて受光手段から出力される受光信号のパターンは、第１の突出部および第２の突出部の双方の存在が影響する所定の信号パターンとなる。
【００１１】
一方、例えば、第１ケースと第２ケースとを分離して第１ケースを取り払うことにより筐体を開封すると、第１の突出部が第２の発光手段と受光手段の撮像外領域との間に配置されていない状態となる。このとき、第２の発光手段からの検知用照射光に応じて受光手段から出力される受光信号のパターンは、第２の突出部の存在が主に影響し第１の突出部が影響しない信号パターンとなるため、上記所定の信号パターンと異なることとなる。
【００１２】
そこで、読取手段により、第２の発光手段からの検知用照射光に応じて受光手段から出力される受光信号のパターンと上記所定の信号パターンとを比較することで、筐体の開封を検知することができる。このように、開封検知のための機構は、光学的情報読取装置として通常使用される受光手段と、第２の発光手段および両突出部とにより構成されている。そのため、開封した筐体内を調査しても、第２の発光手段および両突出部が開封検知のための機構の一部であることを把握することは困難である。
【００１３】
したがって、筐体の開封検知のための機構を把握されにくくすることができる。
なお、第１の突出部と第２の突出部は、第２の発光手段と受光手段の撮像外領域との間に配置されるため、両突出部が情報コードからの反射光を遮ることもない。
【００１４】
請求項２の発明では、上記所定の信号パターンは、第２の発光手段からの検知用照射光に応じて受光手段から出力される受光信号のパターンと所定の信号パターンとの比較に基づいて筐体の開封が検知されない場合には、この比較時の受光信号のパターンに等しくなるように更新される。
【００１５】
第２の発光手段が経年変化等して検知用照射光が徐々に変化すると、筐体が開封されていない場合であっても、この検知用照射光に応じて受光手段から出力される受光信号のパターンが上記所定の信号パターンと異なってしまい、開封の誤検知が生じてしまう。そこで、所定の信号パターンを、筐体の開封が検知されない場合にこの比較時の受光信号のパターンに等しくなるように更新することにより、経年変化等による検知用照射光の変化に起因する開封の誤検知を防止することができる。
【００１６】
請求項３の発明では、読取手段は、当該読取手段への電力供給の開始時または遮断時に、筐体の開封を検知するための比較を行う。筐体の開封を検知するためには、第２の発光手段から検知用照射光を照射させる必要があり、例えば、一定時間経過する毎に検知用照射光を照射する場合には、開封検知のための消費電力が大きくなってしまう。そこで、開封検知をするのに最適なタイミングである読取手段への電力供給の開始時または遮断時に検知用照射光を照射して両パターンを比較することにより、開封検知のための消費電力を低く抑えることができる。
【００１７】
請求項４の発明では、第２の発光手段は、第１の発光手段が配置される基板の受光手段側に配置されている。このように、第２の発光手段および第１の発光手段の両発光手段が１つの基板に配置されるので、別々の基板にそれぞれの発光手段を設ける場合と比較して製造コストを低減することができる。さらに、１つの基板に同じ発光機能を有する第２の発光手段および第１の発光手段が配置されるので、第２の発光手段が開封検知のための機構の一部であることを、より把握されにくくすることができる。
【発明を実施するための最良の形態】
【００１８】
以下、本発明の一実施形態に係る光学的情報読取装置について図を参照して説明する。図１は、本実施形態に係る光学的情報読取装置１０の構成概要を示す説明図である。図２は、図１の２−２断面を示す断面図である。図３は、図１の光学的情報読取装置１０の電気的構成を例示するブロック図である。
【００１９】
図１に示す光学的情報読取装置１０は、例えば、バーコード等の情報コードＢを読み取る携帯型のコードリーダとして用いられるもので、表側ケース１２および裏側ケース１３を組み付けて構成される筐体１１内にコードリーダを構成するための回路部２０等が収容されている。
【００２０】
図１および図２から判るように、表側ケース１２の内面には、受光センサ２８の撮像外領域Ｓｏの一部（後述する）と開封検知用光源２２との間を通過するように、裏側ケース１３に向けて突出する平板状の第１リブ１２ａが設けられている。この第１リブ１２ａの先端部は、表側ケース１２と裏側ケース１３とを組み付けたとき、裏側ケース１３の環状突起１３ｂの挿入穴に挿入するように形成されている。
【００２１】
また、裏側ケース１３の内面には、受光センサ２８の撮像外領域Ｓｏの他部（後述する）と開封検知用光源２２との間を通過するように、表側ケース１２に向けて突出する平板状の第２リブ１３ａが設けられている。この第２リブ１３ａの先端部は、表側ケース１２と裏側ケース１３とを組み付けたとき、表側ケース１２の環状突起１２ｂの挿入穴に挿入するように形成されている。
【００２２】
筐体１１の一端側（図１中の左側）には、後述する照明光Ｌｆの出射や反射光Ｌｒの入射を可能にする読取口１４が設けられている。また、筐体１１のほぼ中央側面には、情報コードＢに対して照明光Ｌｆを照射する際に押圧されるトリガースイッチ４２が設けられている。また、筐体１１の他端側（図１中の右側）における表側ケース１２上には、情報コードＢに関する情報等を入力するための複数のキー１５が設けられるとともに、その隅に、当該光学的情報読取装置１０が落下等したときに受ける衝撃を緩和可能なプロテクタ１６が取り付けられている。
【００２３】
図３に示すように、回路部２０は、主に、読取用光源２１、開封検知用光源２２、結像レンズ２７、受光センサ２８等の光学系と、メモリ３５、制御回路４０、トリガースイッチ４２等のマイクロコンピュータ（以下「マイコン」という）系と、から構成されている。
【００２４】
光学系は、投光光学系と、受光光学系とに分かれている。投光光学系を構成する読取用光源２１は、照明光Ｌｆを発光可能な照明光源として機能するもので、例えば、複数の赤色ＬＥＤと各ＬＥＤの出射側にそれぞれ設けられるレンズとから構成されている。読取用光源２１は、図１に示すように、光源用基板２３に実装されている。なお、図３では、情報コードＢとして例えばバーコードが印刷された読取対象物Ｒに向けて照明光Ｌｆを照射する例を概念的に示している。
【００２５】
図１に示すように、開封検知用光源２２は、一側面２３ａに読取用光源２１が実装される光源用基板２３の他側面２３ｂに実装されており、受光センサ２８の受光面Ｓに向けて直接検知用照射光Ｌｄを発光可能な照明光源として構成されている。
【００２６】
受光光学系は、結像レンズ２７、受光センサ２８、反射鏡（図示略）などによって構成されている。結像レンズ２７は、外部から読取口１４を介して入射する入射光を集光して受光センサ２８の受光面Ｓに像を結像可能な結像光学系として機能するものである。本実施形態では、読取用光源２１から照射された照明光Ｌｆが情報コードＢにて反射した後、この反射光Ｌｒを結像レンズ２７で集光し、受光センサ２８の受光面Ｓの撮像領域Ｓｉ（後述する）にコード像を結像させている。
【００２７】
図２に示すように、受光センサ２８は、例えば、ＣＣＤセンサ等の複数の受光素子を配列して構成されている。当該受光センサ２８は、結像レンズ２７を介して入射する反射光Ｌｒや開封検知用光源２２から直接照射される検知用照射光Ｌｄを受光面Ｓにて受光可能であり、これら反射光Ｌｒまたは検知用照射光Ｌｄに応じた受光信号を出力可能に構成されている。
【００２８】
この受光センサ２８の受光面Ｓは、結像レンズ２７で集光された反射光Ｌｒが到達してコード像を結像する領域である撮像領域Ｓｉ（図２に示す波線内）と、この撮像領域Ｓｉ以外の領域である撮像外領域Ｓｏ（図２に示す一点鎖線内）とに区分けされる。
【００２９】
マイコン系は、増幅回路３１、Ａ／Ｄ変換回路３３、メモリ３５、アドレス発生回路３６、同期信号発生回路３８、制御回路４０、トリガースイッチ４２、ブザー４４、表示ＬＥＤ４５、液晶表示器４６、通信インタフェース４８等から構成されている。
【００３０】
光学系の受光センサ２８から出力される受光信号（アナログ信号）は、増幅回路３１に入力されることで所定ゲインで増幅された後、Ａ／Ｄ変換回路３３に入力されると、アナログ信号からディジタル信号に変換される。そして、ディジタル化された信号、つまり画像データ（画像情報）は、メモリ３５に入力されると、所定のコード画像情報格納領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３１】
メモリ３５は、電源が供給される場合に情報を読み出し可能な半導体メモリ装置で、このメモリ３５には、後述する読取処理や不正開封検知処理等を実行可能な所定プログラムや、読取処理により得られる情報コードＢに関するデータ、上記画像データや後述する開封検知用パターンＰｄが記憶される。
【００３２】
制御回路４０は、光学的情報読取装置１０全体を制御可能なマイコンによって構成されており、ＣＰＵ、システムバス、入出力インタフェース等を有すると共に、情報処理機能を備えており、メモリ３５とともに情報処理装置を構成している。本実施形態では、制御回路４０に対し、トリガースイッチ４２、ブザー４４、表示ＬＥＤ４５、液晶表示器４６、通信インタフェース４８等が接続されており、例えば、トリガースイッチ４２の監視や管理、ビープ音やアラーム音を発生可能なブザー４４の鳴動のオンオフ、表示ＬＥＤ４５の点灯、非点灯、液晶表示器４６の表示制御、通信インタフェース４８の制御等が制御回路４０によって行われるようになっている。
【００３３】
このように構成される光学的情報読取装置１０の読取処理は以下のように行われる。
例えば、電源スイッチ（図示略）がオンされて所定の自己診断処理等が正常終了し、情報コードＢの読み取りが可能な状態になると、照明光Ｌｆの発光を指示するトリガースイッチ４２の入力を受け付ける。このような状態で、作業者がトリガースイッチ４２を押圧しオンにすると、それをトリガとして制御回路４０が同期信号を基準に読取用光源２１に発光信号を出力する。当該発光信号を受けた読取用光源２１は、ＬＥＤを発光させて照明光Ｌｆを照射する。照明光Ｌｆは、読取口１４を通って情報コードＢに照射される。
【００３４】
すると、情報コードＢに照射された照明光Ｌｆが反射し、その反射光Ｌｒが読取口１４を通って筐体１１内に入射することとなる。この反射光Ｌｒが結像レンズ２７を介して受光センサ２８の受光面Ｓに到達することにより、当該受光面Ｓの撮像領域Ｓｉには情報コードＢの像、つまりコード像が結像されることとなる。これにより、受光センサ２８を構成する各受光素子が露光され、それら各受光素子から情報コードＢの像に応じた受光信号が出力され、画像データとしてメモリ３５に記憶される。そして、メモリ３５に記憶されたコード画像を２値化した後、公知のデコード処理が行われ、情報コードＢとして符号化された文字データ等が解読される。なお、デコードに成功した場合には、その旨を示す報知出力（例えば「ＯＫ」の文字、短いビープ音や緑色光）を、またデコードに失敗した場合には、その旨を示す報知出力（例えば「ＮＧ」の文字、長いビープ音や赤色光）を、液晶表示器４６、ブザー４４やＬＥＤ４５によって出力し、当該光学的情報読取装置１０の使用者に情報コードＢの読み取りの可否を報知する。また、デコードに成功した場合には、デコードされたデータ、つまり情報コードＢの内容を液晶表示器４６に出力したり、通信インタフェース４８を介してホストコンピュータ（図示略）等に出力する。
【００３５】
次に、本発明の特徴部分である、筐体１１が不正に開封された場合にこの開封を検知する不正開封検知処理について、図４〜図７を参照して詳細に説明する。
図４は、不正開封検知処理の流れを例示するフローチャートである。図５は、図４の開封検知用パターン設定処理のサブルーチンを例示するフローチャートである。図６は、開封検知用パターンＰｄを例示する説明図である。図７は、筐体１１が開封された状態での受光信号の信号パターンＰを例示する説明図である。
【００３６】
まず、図４のステップＳ１０１において、電源のオン操作またはオフ操作がされるか、すなわち、制御回路４０に対して上記読取処理を実行するための電力供給が開始されるかまたはその電力供給が遮断されるかについて判定される。ここで、電源のオン操作またはオフ操作がされない場合には、ステップＳ１０１にてＮｏとの判定が繰り返され、特に、電源のオン操作後の状態である電源オン状態では上記読取処理が実行されている。
【００３７】
ここで、電源のオン操作またはオフ操作がされるか否かについて判定する理由について説明する。筐体１１の開封を検知するためには、後述するように開封検知用光源２２から検知用照射光Ｌｄを照射させる必要があり、例えば、一定時間経過する毎に検知用照射光Ｌｄを照射する場合には、開封検知のための消費電力が大きくなってしまう。そこで、開封検知をするのに最適なタイミングである電源のオン操作時またはオフ操作時に検知用照射光Ｌｄを照射することにより、開封検知のための消費電力を低く抑えることができる。
【００３８】
上記ステップＳ１０１におけるＮｏとの繰り返し判定中に、電源のオン操作またはオフ操作がされると（Ｓ１０１でＹｅｓ）、ステップＳ１０３において、開封検知用パターンＰｄがメモリ３５に記憶されているか否かについて判定される。この開封検知用パターンＰｄは、筐体１１が開封されているか否かを判定するための信号パターンである。
【００３９】
ここで、例えば、当該光学的情報読取装置１０の製品出荷段階であり、開封検知用パターンＰｄがメモリ３５に記憶されていなければ（Ｓ１０３でＮｏ）、ステップＳ２００における開封検知用パターン設定処理のサブルーチンが実行される。
【００４０】
開封検知用パターン設定処理のサブルーチンでは、図５に示すように、まず、ステップＳ２０１において、特殊コードが読み取られたか否かについて判定される。この特殊コードは、例えば、製品出荷時等に開封検知用パターンＰｄをメモリ３５に記憶するための特別なコードであり、作業者の操作に応じてこの特殊コードが読み取られると、ステップＳ２０１にてＹｅｓと判定される。
【００４１】
次に、ステップＳ２０３において、開封検知用光源２２の照射処理がなされる。この処理では、制御回路４０からの指示に応じて開封検知用光源２２から受光センサ２８の受光面Ｓに向けて検知用照射光Ｌｄが照射される。
【００４２】
そして、ステップＳ２０５において、信号パターン取得処理がなされる。この処理では、検知用照射光Ｌｄに応じて受光センサ２８から出力される受光信号の信号パターンＰが取得される。
【００４３】
この段階では、上述のように製品出荷段階であるため、筐体１１は開封されておらず、開封検知用光源２２と受光センサ２８の受光面Ｓの撮像外領域Ｓｏとの間には、第１リブ１２ａおよび第２リブ１３ａがそれぞれ異なる位置にて配置された状態である。このため、検知用照射光Ｌｄに応じて受光センサ２８から出力される受光信号の信号パターンＰは、図６に示すように、第１リブ１２ａおよび第２リブ１３ａの双方の存在が影響する（図６に示す一点鎖線楕円参照）所定の信号パターンとなる。
【００４４】
そして、ステップＳ２０７の開封検知用パターン設定処理により、上述のように取得された信号パターンＰが開封検知用パターンＰｄとして設定されてメモリ３５に記憶される。
【００４５】
このように、筐体１１が開封されていなければ、検知用照射光Ｌｄに応じて受光センサ２８から出力される受光信号の信号パターンＰは、図６に示す信号パターンにほぼ等しくなる。そこで、筐体１１が開封されていない状態の信号パターンを開封検知用パターンＰｄとして設定し、この開封検知用パターンＰｄと、開封判定時に検知用照射光Ｌｄに応じて受光センサ２８から出力される受光信号の信号パターンＰとを比較することにより、両信号パターンが異なっている場合に、筐体１１の開封を検知することができる。
【００４６】
上述のように開封検知用パターンＰｄがメモリ３５に記憶されると、ステップＳ２０９により開封検知用光源２２が消灯して、開封検知用パターン設定処理のサブルーチンが終了する。
【００４７】
このように、開封検知用パターン設定処理のサブルーチンにて、開封検知用パターンＰｄが設定されると、図４のステップＳ１０１の判定処理が再度なされる。そして、電源のオン操作またはオフ操作がされると（Ｓ１０１でＹｅｓ）、開封検知用パターンＰｄがメモリ３５に記憶されているので、ステップＳ１０３にてＹｅｓと判定される。
【００４８】
次に、ステップＳ１０５にて、上記ステップＳ２０３と同様に、開封検知用光源２２の照射処理がなされて、制御回路４０からの指示に応じて開封検知用光源２２から受光センサ２８の受光面Ｓに向けて検知用照射光Ｌｄが照射される。これにより、ステップＳ１０７にて、上記ステップＳ２０５と同様に、信号パターン取得処理がなされて、検知用照射光Ｌｄに応じて受光センサ２８から出力される受光信号の信号パターンＰが取得される。
【００４９】
そして、ステップＳ１０９にて信号パターン記憶処理により、上記信号パターンＰがメモリ３５に記憶されると、ステップＳ１１１により開封検知用光源２２が消灯する。
【００５０】
次に、ステップＳ１１３において、上記ステップＳ１０９にて記憶された信号パターンＰと開封検知用パターンＰｄとが異なっているか否かについて判定される。ここで、筐体１１が開封されていない状態であれば、信号パターンＰは、第１リブ１２ａおよび第２リブ１３ａの双方の存在が影響する信号パターンとなっており、開封検知用パターンＰｄにほぼ等しくなるので、ステップＳ１１３にてＮｏと判定される。
【００５１】
そして、ステップＳ１１５にて開封検知用パターン更新処理がなされる。この処理では、開封検知用パターンＰｄが上記ステップＳ１０９にて記憶された信号パターンＰに等しくなるように更新されて、上記ステップＳ１０１からの処理が繰り返される。
【００５２】
ここで、開封検知用パターンＰｄを上記信号パターンＰに等しくなるように更新する理由について説明する。開封検知用光源２２が経年変化等して検知用照射光Ｌｄが徐々に変化すると、筐体１１が開封されていない場合であっても、この検知用照射光Ｌｄに応じて受光センサ２８から出力される受光信号の信号パターンＰが開封検知用パターンＰｄと異なってしまい、開封の誤検知が生じてしまう。そこで、開封検知用パターンＰｄを、筐体１１の開封が検知されない場合にこの比較時の受光信号の信号パターンＰに等しくなるように更新することにより、開封検知用光源２２の経年劣化等による検知用照射光Ｌｄの変化に起因する誤検知をなくしている。
【００５３】
一方、例えば、筐体１１が開封され、表側ケース１２が取り除かれた状態では、上記ステップＳ１０９にて記憶された信号パターンＰは、図７に示すように、第２リブ１３ａの存在が主に影響し（図７に示す一点鎖線楕円参照）、第１リブ１２ａが影響しない信号パターンとなる。このため、上記ステップＳ１０９にて記憶された信号パターンＰと開封検知用パターンＰｄとが異なることとなり（Ｓ１１３でＹｅｓ）、ステップＳ１１７にて筐体１１の開封が検知される。
【００５４】
上述のように筐体１１の開封が検知されると、例えば、予め設定される正常開封であることを示す所定のキー１５の操作がない場合には、不正開封であるとして、メモリ３５に記憶されている情報コードＢに関するデータ等を消去する。これにより、メモリ３５に記憶された情報の不正使用を防止することができる。
【００５５】
以上説明したように、本実施形態に係る光学的情報読取装置１０では、表側ケース１２および裏側ケース１３が組み付けられて構成される筐体１１内に、情報コードＢに対して光を照射するための読取用光源２１とは異なる開封検知用光源２２が設けられており、この開封検知用光源２２は、受光センサ２８の受光面Ｓに対して検知用照射光Ｌｄを照射する。また、表側ケース１２には、受光センサ２８の撮像外領域Ｓｏの一部と開封検知用光源２２との間を通過するように突出する第１リブ１２ａが設けられている。また、裏側ケース１３には、受光センサ２８の撮像外領域Ｓｏの他部と開封検知用光源２２との間を通過するように突出する第２リブ１３ａが設けられている。そして、制御回路４０は、開封検知用光源２２からの検知用照射光Ｌｄに応じて受光センサ２８から出力される受光信号の信号パターンＰと開封検知用パターンＰｄとの比較に基づいて筐体１１の開封を検知する。
【００５６】
このように、開封検知のための機構は、光学的情報読取装置１０として通常使用される受光センサ２８と、開封検知用光源２２および両リブ１２ａ，１３ａとにより構成されている。そのため、開封した筐体１１内を調査しても、開封検知用光源２２および両リブ１２ａ，１３ａが開封検知のための機構の一部であることを把握することは困難である。
【００５７】
特に、第１リブ１２ａは、その先端にて裏側ケース１３の環状突起１３ｂに挿入されるように形成されており、第２リブ１３ａは、その先端にて表側ケース１２の環状突起１２ｂに挿入されるように形成されている。このため、両リブ１２ａ，１３ａが補強のための部材と認識されやすくなり、両リブ１２ａ，１３ａが開封検知のための機構の一部であることを把握することはより困難となる。
【００５８】
したがって、筐体１１の開封検知のための機構を把握されにくくすることができる。
なお、両リブ１２ａ，１３ａは、開封検知用光源２２と受光センサ２８の受光面Ｓの撮像外領域Ｓｏとの間に配置されるため、両リブ１２ａ，１３ａが情報コードＢからの反射光Ｌｒを遮ることもない。
【００５９】
また、本実施形態に係る光学的情報読取装置１０では、開封検知用パターンＰｄは、開封検知用光源２２からの検知用照射光Ｌｄに応じて受光センサ２８から出力される受光信号の信号パターンＰと開封検知用パターンＰｄとの比較に基づいて筐体１１の開封が検知されない場合には、この比較時の信号パターンＰに等しくなるように更新される。これにより、開封検知用光源２２の経年変化等による検知用照射光Ｌｄの変化に起因する開封の誤検知を防止することができる。
【００６０】
さらに、本実施形態に係る光学的情報読取装置１０では、制御回路４０に対して上記読取処理を実行するための電力供給が開始されるかまたはその電力供給が遮断される（電源のオン操作またはオフ操作がされる）場合に、筐体１１の開封を検知するための比較を行う。このように、開封検知をするのに最適なタイミングである電源のオン操作時またはオフ操作時に検知用照射光Ｌｄを照射して信号パターンＰと開封検知用パターンＰｄとを比較することにより、開封検知のための消費電力を低く抑えることができる。
【００６１】
さらに、本実施形態に係る光学的情報読取装置１０では、開封検知用光源２２は、一側面２３ａに読取用光源２１が実装される光源用基板２３の他側面２３ｂに実装されている。このように、開封検知用光源２２および読取用光源２１の両光源が１つの光源用基板２３に配置されるので、別々の基板にそれぞれの光源を設ける場合と比較して製造コストを低減することができる。さらに、１つの光源用基板２３に同じ発光機能を有する開封検知用光源２２および読取用光源２１が配置されるので、開封検知用光源２２が開封検知のための機構の一部であることを、より把握されにくくすることができる。
【００６２】
なお、本発明は上記実施形態に限定されるものではなく、以下のように具体化してもよく、その場合でも、上記実施形態と同等の作用・効果が得られる。
（１）当該光学的情報読取装置１０は、例えば、ＱＲコード等の２次元コードを読み取り可能なコードリーダであってもよい。この場合、受光センサ２８は、ＣＣＤ等の複数の受光素子が２次元的に配列されて構成される。また、開封検知用パターンは、筐体１１が開封されていない場合に上記受光センサ２８から出力される受光信号の信号パターンに応じて設定される。そして、この開封検知用パターンと筐体開封判定時の信号パターンとの比較に応じて筐体１１の開封を検知してもよい。
【００６３】
（２）第１リブ１２ａおよび第２リブ１３ａは、平板状に形成されることに限らず、例えば、円柱状に形成されてもよい。また、第１リブ１２ａおよび第２リブ１３ａは、環状突起１３ｂが廃止された裏側ケース１３および環状突起１２ｂが廃止された表側ケース１２に対して所定の隙間を有するように形成されてもよい。
【００６４】
（３）図８は、本実施形態の変形例に係る不正開封検知処理の流れを例示するフローチャートである。
上述した不正開封検知処理において、図４および図５に示すフローチャートに代えて、図８のフローチャートを採用してもよい。この図８のフローチャートに基づく不正開封検知処理では、ステップＳ１０３における判定処理および開封検知用パターン設定処理のサブルーチンが廃止されるとともに、ステップＳ１１２の判定処理が新たに追加されている。
【００６５】
このステップＳ１１２における判定処理では、開封検知用パターンＰｄがメモリ３５に記憶されているか否かが判定され、開封検知用パターンＰｄがメモリ３５に記憶されていなければ（Ｓ１１２でＹｅｓ）、ステップＳ１１３における判定処理を実施することなく、ステップＳ１１５の処理がなされる。このように、開封検知用パターンＰｄがメモリ３５に記憶されていなければ、ステップＳ１０９にて記憶された信号パターンＰを開封検知用パターンＰｄとして設定するようにしてもよい。
【図面の簡単な説明】
【００６６】
【図１】本実施形態に係る光学的情報読取装置の構成概要を示す説明図である。
【図２】図１の２−２断面を示す断面図である。
【図３】図１の光学的情報読取装置の電気的構成を例示するブロック図である。
【図４】不正開封検知処理の流れを例示するフローチャートである。
【図５】図４の検知用パターン設定処理のサブルーチンを例示するフローチャートである。
【図６】開封検知用パターンＰｄを例示する説明図である。
【図７】筐体が開封された状態での受光信号の信号パターンを例示する説明図である。
【図８】本実施形態の変形例に係る不正開封検知処理の流れを例示するフローチャートである。
【符号の説明】
【００６７】
１０…光学的情報読取装置
１１…筐体
１２…表側ケース（第１ケース）
１２ａ…第１リブ（第１の突出部）
１３…裏側ケース（第２ケース）
１３ａ…第２リブ（第２の突出部）
２０…回路部
２１…読取用光源（第１の発光手段）
２２…開封検知用光源（第２の発光手段）
２３…光源用基板（基板）
２３ａ…一側面
２３ｂ…他側面（基板の受光手段側）
２８…受光センサ（受光手段）
３５…メモリ（読取手段）
４０…制御回路（読取手段）
Ｂ…情報コード
Ｌｒ…反射光
Ｌｄ…検知用照射光
Ｐ…信号パターン
Ｐｄ…開封検知用パターン（所定の信号パターン）
Ｓ…受光面（受光領域）
Ｓｉ…撮像領域
Ｓｏ…撮像外領域
【図１】
2010066956.tif 000003
【図２】
2010066956.tif 000004
【図３】
2010066956.tif 000005
【図４】
2010066956.tif 000006
【図５】
2010066956.tif 000007
【図６】
2010066956.tif 000008
【図７】
2010066956.tif 000009
【図８】
2010066956.tif 000010